(57)【要約】  ビーコン情報を分配する方法および装置は、ＰＨＹ  ＰＤＵ（physical protocol data unit）フレームのＰＬＣＰ（physical layer convergence protocol）ヘッダを変更して、ビーコン情報を含める第１のＷＴＲＵを含む。第１のＷＴＲＵは、変更されたＰＬＣＰヘッダを第２のＷＴＲＵに送信する。第２のＷＴＲＵは、変更されたＰＬＣＰヘッダを受信し、ビーコン情報を、変更されたＰＬＣＰヘッダから取り出す。第２のＷＴＲＵは、第１のＷＴＲＵと関連付ける。
2009524350.tif 000002
【特許請求の範囲】
【請求項１】
複数のＷＴＲＵ（wireless transmit/receive unit）を備えている無線通信システムにおいて、ビーコン情報を分配する方法であって、
第１のＷＴＲＵが、ＰＨＹ  ＰＤＵ（physical protocol data unit）フレームのＰＬＣＰ（physical layer convergence protocol）ヘッダを変更してビーコンの情報要素を含めること、
前記第１のＷＴＲＵが、前記変更されたＰＬＣＰヘッダを第２のＷＴＲＵに送信すること、
前記第２のＷＴＲＵが、前記変更されたＰＬＣＰヘッダの受信しおよびビーコン情報を前記変更されたＰＬＣＰヘッダから取り出すこと、および
前記第２のＷＴＲＵが、前記第１のＷＴＲＵと関連付けること
を備えたことを特徴とする方法。
【請求項２】
前記ビーコン情報は、非ビーコン制御パケットに含まれていることを特徴とする請求項１に記載の方法。
【請求項３】
前記ビーコン情報は、データパケットに含まれていることを特徴とする請求項１に記載の方法。
【請求項４】
前記ビーコン情報は、管理パケットに含まれていることを特徴とする請求項１に記載の方法。
【請求項５】
前記ビーコン情報は、タイムスタンプ、ビーコンインターバル、ＳＳＩＤ（service set identifier）機能、対応データ速度、ＦＨパラメータ、ＣＦパラメータ、およびＤＳパラメータの任意の１つに関するビーコンの情報要素を含むことを特徴とする請求項１に記載の方法。
【請求項６】
ＰＬＣＰフレームは、ＰＬＣＰプリアンブルフィールド、信号フィールド、およびデータフィールドを含むことを特徴とする請求項１に記載の方法。
【請求項７】
前記信号フィールドは、速度フィールド、予約フィールド、長さフィールド、パリティフィールド、およびテイルフィールドをさらに備えたことを特徴とする請求項６に記載の方法。
【請求項８】
前記データフィールドは、サービスフィールド、ＰＳＤＵフィールド、テイルフィールド、およびパッドビットフィールドをさらに備えたことを特徴とする請求項７に記載の方法。
【請求項９】
前記ビーコン情報は、固定されたビーコンの情報要素および可変のビーコンの情報要素を含むことを特徴とする請求項８に記載の方法。
【請求項１０】
可変のビーコンの情報要素は、可変情報フレームに含まれていることを特徴とする請求項９に記載の方法。
【請求項１１】
前記可変情報フレームは、要素ＩＤフィールド、長さフィールド、およびＳＳＩＤフィールドを含むことを特徴とする請求項１０に記載の方法。
【請求項１２】
可変のビーコンの情報要素は、ＳＳＩＤおよび対応速度を含むことを特徴とする請求項１０に記載の方法。
【請求項１３】
固定されたビーコンの情報要素は、固定情報フレームに含まれていることを特徴とする請求項９に記載の方法。
【請求項１４】
前記固定情報フレームは、要素フィールドおよびタイムスタンプフィールドを含むことを特徴とする請求項１３に記載の方法。
【請求項１５】
前記第１のＷＴＲＵは、前記ビーコンの情報要素を物理レイヤヘッダに付加することを特徴とする請求項８に記載の方法。
【請求項１６】
前記信号フィールドを拡張して前記ビーコンの情報要素を含めることをさらに備えたことを特徴とする請求項１５に記載の方法。
【請求項１７】
前記第１のＷＴＲＵは、前記ビーコンの情報要素をＭＡＣ（medium access control）ヘッダに含めることを特徴とする請求項８に記載の方法。
【請求項１８】
前記第１のＷＴＲＵは、前記ビーコンの情報要素をＭＡＣペイロードに含めることを特徴とする請求項８に記載の方法。
【請求項１９】
前記第１のＷＴＲＵは、前記ビーコンの情報要素を前記ＰＬＣＰプリアンブルの後ろに含むことを特徴とする請求項８に記載の方法。
【請求項２０】
前記信号フィールドおよび前記サービスフィールドは、前記ＰＬＣＰヘッダを備えたことを特徴とする請求項８に記載の方法。
【請求項２１】
前記第１のＷＴＲＵは、前記ビーコンの情報要素を前記ＰＬＣＰヘッダの前に含むことを特徴とする請求項２０に記載の方法。
【請求項２２】
前記第１のＷＴＲＵは、前記ビーコンの情報要素を前記ＰＬＣＰヘッダの後ろに含むことを特徴とする請求項２０に記載の方法。
【請求項２３】
各々のビーコンの情報要素は、それ自身のＣＲＣ（cyclic redundancy check）を用いて送信されることを特徴とする請求項８に記載の方法。
【請求項２４】
最後のビーコンの情報要素は、全ての情報要素に対するＣＲＣを含むことを特徴とする請求項８に記載の方法。
【請求項２５】
前記ビーコンの情報要素は、異なる管理、制御およびデータパケットで分離され、および送信されることを特徴とする請求項８に記載の方法。
【請求項２６】
個々のビーコンの情報要素の一部は、単一パケットで送信されることを特徴とする請求項２５に記載の方法。
【請求項２７】
全てのビーコンの情報要素は、単一パケットで送信されることを特徴とする請求項２５に記載の方法。
【請求項２８】
複数のビーコンの情報要素は、単一パケットで送信されることを特徴とする請求項２５に記載の方法。
【請求項２９】
前記第２のＷＴＲＵは、ビーコンの情報要素を前記パケットから取り出して、前記第１のＷＴＲＵと関連付けることを特徴とする請求項２５に記載の方法。
【請求項３０】
各パケットは、前記パケットのソースに関する情報を含むことを特徴とする請求項２９に記載の方法。
【請求項３１】
前記第１のＷＴＲＵはＡＰ（access point）であり、および前記第２のＷＴＲＵはＳＴＡ（station）であることを特徴とする請求項１に記載の方法。
【請求項３２】
前記ＡＰは、外部ネットワークに接続されていることを特徴とする請求項３１に記載の方法。
【請求項３３】
前記最第１のおよび第２のＷＴＲＵは、ＳＴＡであることを特徴とする請求項１に記載の方法。
【請求項３４】
ビーコン情報を分配する方法を行うように組み込まれたＡＰ（access point）であって、
受信器と、
送信器と、
前記受信器および前記送信器と通信を行うプロセッサであって、ＰＨＹ  ＰＤＵ（physical protocol data unit）フレームのＰＬＣＰ（physical layer convergence protocol）ヘッダを変更してビーコンの情報要素を含め、前記変更されたＰＬＣＰヘッダを少なくとも１つのＷＴＲＵ（wireless transmit/receive unit）に送信し、および前記ＷＴＲＵと関連付けるように組み込まれているプロセッサと
を備えたことを特徴とするＡＰ。
【請求項３５】
前記プロセッサは、可変のビーコンの情報要素を可変情報フレームに含むようにさらに組み込まれていることを特徴とする請求項３４に記載のＡＰ。
【請求項３６】
前記プロセッサは、固定されたビーコンの情報要素を固定情報フレームに含むようにさらに組み込まれていることを特徴とする請求項３４に記載のＡＰ。
【請求項３７】
前記プロセッサは、複数のビーコンの情報要素を単一パケットで送信するようにさらに組み込まれていることを特徴とする請求項３４に記載のＡＰ。
【請求項３８】
ビーコン情報を分配する方法を行うように組み込まれたＷＴＲＵ（wireless transmit/receive unit）であって、
受信器と、
送信器と、
前記受信器および前記送信器と通信を行うプロセッサであって、ＰＨＹ  ＰＤＵ（physical protocol data unit）フレームのＰＬＣＰ（physical layer convergence protocol）ヘッダを変更してビーコンの情報要素を含め、前記変更されたＰＬＣＰヘッダを少なくとも１つの他のＷＴＲＵに送信し、および少なくとも１つの他のＷＴＲＵと関連付けるように組み込まれているプロセッサと
を備えたことを特徴とするＷＴＲＵ。
【請求項３９】
前記プロセッサは、可変のビーコンの情報要素を可変情報フレームに含むようにさらに組み込まれていることを特徴とする請求項３８に記載のＷＴＲＵ。
【請求項４０】
前記プロセッサは、固定されたビーコンの情報要素を固定情報フレームに含むようにさらに組み込まれていることを特徴とする請求項３８に記載のＷＴＲＵ。
【請求項４１】
前記プロセッサは、複数のビーコンの情報要素を単一パケットで送信するようにさらに組み込まれていることを特徴とする請求項３８に記載のＷＴＲＵ。
【請求項４２】
前記プロセッサは、変更されたＰＬＣＰヘッダを少なくとも１つの他のＷＴＲＵから受信し、前記受信した変更されたＰＬＣＰヘッダからビーコン情報を取り出し、および少なくとも１つの他のＷＴＲＵと関連付けるようにさらに組み込まれていることを特徴とする請求項３８に記載のＷＴＲＵ。
【発明の詳細な説明】
【技術分野】
【０００１】
本発明は、ＷＬＡＮ（Wireless Local Area Network）等の無線通信システムに関する。本発明は、特に、無線通信システムにおけるビーコン情報を分配する方法および装置に関する。
【背景技術】
【０００２】
８０２．１１システムにおいて、ＳＴＡ（station）は、能動的なまたは受動的な走査によってＡＰ（access point）と関連付ける。能動的な走査において、ＳＴＡは、プローブ要求を送信し、ＡＰは、プローブ応答に応答する。受動的な走査において、ＳＴＡは、ビーコンを積極的に聞く。プローブ応答パケットおよびビーコンは、タイムスタンプ、ビーコンインターバル、ＳＳＩＤ、対応データ速度（Supported Data Rate）、ＦＨパラメータ、ＣＦパラメータ、ＤＳパラメータセット、および機能情報セット（Capability Information Set）等の類似の情報を含む。いずれにしてもＳＴＡは、ビーコンまたはプローブ応答を受信した後、ＡＰと関連付ける。
【０００３】
モバイルＳＴＡは、典型的には、ビーコン情報を取得することによって、新しいＡＰに接続し、次にそれと関連付ける。しかし、このプロセスは、命令を受けるのに数百ミリ秒もかかり、あるアプリケーションにとってかなり長い間隔になり得る。この問題に対するいくつかの解決策では、ＳＴＡが、ある領域における２以上のＡＰに対して事前に認証を行い、認証に必要な時間を削減することを提案している。しかしビーコンは一般的に、およそ１００ミリ秒の周期を有するので、このような解決策では、ビーコンまたはプローブ応答のどちらかを経由してビーコン情報を得るために必要な時間を削減できない。
【発明の開示】
【発明が解決しようとする課題】
【０００４】
プローブ要求／応答メカニズムは、典型的には、複数のプローブ要求のメッセージを送信し、ＳＴＡは、ＡＰからの応答を待つ。従ってビーコン情報自身を集めることは、数十ミリ秒から１００ミリ秒までの間のどこでも起こり得る。この時間遅延は、ＳＴＡが実行中の、あるアプリケーションを機能させることに悪影響をもたらす場合がある。
【０００５】
そのため、従来のメカニズムを制限することなくＳＴＡに対するビーコン情報を分配する方法および装置を提供することは有益だろう。
【課題を解決するための手段】
【０００６】
本発明は、ビーコン情報を分配する方法および装置を対象としている。第１のＷＴＲＵは、ＰＨＹ  ＰＤＵ（physical protocol data unit）フレームのＰＬＣＰ（physical layer convergence protocol）ヘッダを変更して、ビーコン情報を含める。第１のＷＴＲＵは、変更されたＰＬＣＰヘッダを第２のＷＴＲＵに送信する。第２のＷＴＲＵは、変更されたＰＬＣＰヘッダ受信し、ビーコン情報を、変更されたＰＬＣＰヘッダから取り出す。第２のＷＴＲＵは、第１のＷＴＲＵと関連付ける。
【０００７】
以下の本発明の好適実施形態の詳細な説明だけでなく上記の発明の開示も、添付図を参照して読むと、より理解されるだろう。
【発明を実施するための最良の形態】
【０００８】
以下、ＷＴＲＵ（wireless transmit/receive unit）は、ＵＥ（user equipment）、モバイルＳＴＡ（station）、固定またはモバイル加入者ユニット、ポケベル、または無線環境において動作可能な他の種類の装置を含むが、これらに限定されない。以下を参照すると、基地局は、ノードＢ、サイトコントローラ、ＡＰ（access point）、ＷＴＲＵ、または無線環境における他の種類のインタフェース装置を含むが、これらに限定されない。
【０００９】
図１は、ＩＥＥＥ  ８０２．１１ａ  ＰＨＹ  ＰＤＵ（physical protocol data unit）１００の先行技術のフレームフォーマットである。ＰＨＹ  ＰＤＵ１００は、ＰＬＣＰ（physical layer convergence protocol）プリアンブルフィールド１１７、信号フィールド１１８、およびデータフィールド１５０を含む。信号フィールド１１８は、速度フィールド１１１、予約フィールド１１２、長さフィールド１１３、パリティフィールド１１４、およびテイルフィールド１１５を含む。データフィールド１５０は、サービスフィールド１１６、ＰＳＤＵフィールド１２０、テイルフィールド１３０、およびパッドビットフィールド１４０を含む。速度フィールド１１１、予約フィールド１１２、長さフィールド１１３、パリティフィールド１１４、テイルフィールド１１５、およびサービスフィールド１１６は、ＰＬＣＰヘッダ１１０を備える。信号フィールド１１８およびデータフィールド１５０は、コード化した／ＯＦＤＭフィールドである。一般的に信号フィールド１１８は、速度、長さ、およびパリティ等の、以下のデータフィールドのフォーマットについての情報を提供する。
【００１０】
本発明の実施形態を以下により詳細に説明するが、本発明は一般的に、付加フィールドを、ビーコンの情報要素およびそれらの情報自身を識別するＰＬＣＰヘッダに付加することによって、ビーコン情報を分配する方法および装置に関する。
【００１１】
図２に、本発明に従って組み込まれたＷＴＲＵ２１０および複数のＷＴＲＵ２２０を含んでいる例示的な無線通信システム２００を示す。本発明の好適実施形態においてＷＴＲＵ２２０は、ＷＴＲＵ２１０と無線通信を行うが、任意のＷＴＲＵ２２０はその上、お互いに無線通信を行うことができることに注目すべきである。さらにＷＴＲＵ２１０は、インターネット、ＰＳＴＮ（public switched telephone network）等の外部ネットワーク２３０に接続できる。本発明の好適実施形態においてＷＴＲＵ２１０は、ＡＰになり得る。ＷＴＲＵ２１０およびＷＴＲＵ２２０は、実質的に同じにすることもできる。
【００１２】
図３は、図２の無線通信システム２００の、ＷＴＲＵ２１０およびＷＴＲＵ２２０の機能的なブロック図である。図２に示すように、ＷＴＲＵ２１０およびＷＴＲＵ２２０は本発明に従って、お互いに無線通信を行い、ビーコン情報を送受信するように組み込まれる。当然のことながら、任意の種類の無線装置を使用して、ビーコン情報を送受信する方法を行うことができる。
【００１３】
典型的なＷＴＲＵに見ることのできるコンポーネントに加えて、ＷＴＲＵ２１０は、プロセッサ２１５、受信器２１６、送信器２１７、およびアンテナ２１８を含む。プロセッサ２１５は、本発明に従ってビーコン情報を分配するように組み込まれる。受信器２１６および送信器２１７は、プロセッサ２１５と通信を行う。アンテナ４１８は、受信器２１６と送信器２１７の両方と通信を行って、無線データの送受信を容易にする。さらにプロセッサ２１５は、外部ネットワーク２３０に接続できる。
【００１４】
同様に、典型的なＷＴＲＵに見ることのできるコンポーネントに加えて、ＷＴＲＵ２２０は、プロセッサ２２５、受信器２２６、送信器２２７、およびアンテナ２２８を含む。プロセッサ２２５は、本発明に従ってビーコン情報を分配するように組み込まれる。受信器２２６および送信器２２７は、プロセッサ２２５と通信を行う。アンテナ２２８は、受信器２２６と送信器２２７の両方と通信を行って、無線データの送受信を容易にする。
【００１５】
図４は、本発明に従ってビーコン情報を分配する方法４００のフロー図である。本発明の好適実施形態において、ビーコン情報は、ＷＴＲＵ２１０から、ＷＴＲＵ２１０への接続を望むＷＴＲＵ２２０へと分配され、ＷＴＲＵ２１０と通信を開始する。しかし、任意の無線装置は、ビーコン情報を分配する方法４００を行うことができる。
【００１６】
ステップ４１０において、ＷＴＲＵ２１０は、ＰＬＣＰヘッダを変更してビーコン情報を含める。ＷＴＲＵ２１０は、可変情報を可変情報フレーム５００に含め、固定情報を固定情報フレーム６００に含める。
【００１７】
図５に、本発明に従って、可変データ要素を含んでいる可変情報フレーム５００を示す。フレーム５００は、要素ＩＤフィールド５１０、長さフィールド５２０、およびＳＳＩＤ（service set identifier）フィールド５３０を含む。
【００１８】
図６に、本発明に従って、固定データ要素を含んでいる固定情報フレーム６００を示す。フレーム６００は、要素フィールド６１０およびタイムスタンプフィールド６２０を含む。可変情報フレーム５００と固定情報フレーム６００は、一般的に、多少類似している。しかし可変情報フレーム５００は、長さにおいて可変であるので、長さを特定するために長さフィールド５２０を含む。
【００１９】
下記の表１に、各々のビーコンの情報要素を示す。これらの情報要素は、ＰＨＹ  ＰＤＵフレーム１００を、ＰＬＣＰプリアンブル１１７の後ろに付加することができ、ＰＬＣＰヘッダ１１０の前か後ろに付加することができる。好適実施形態において、付加フィールドは、ビーコンの情報要素およびそれらの情報自身の存在を識別するＰＨＹ  ＰＤＵ１１０のＰＬＣＰヘッダ１１０に付加される。この付加フィールドは、ＰＨＹ  ＰＤＵ１１０の情報要素の存在を示す単一ビット、および情報要素の実際の種類（例えば表１の「ＩＤ」）を示しているいくつかのビットになり得る。
【００２０】
【表１】
2009524350.tif 000003
【００２１】
上記の表１を参照して、ＷＴＲＵ２２０がＷＴＲＵ２１０と関連するのに必要なまたは望ましい情報要素は典型的に、ビーコンで送信される。しかし、これらの情報要素は、本発明の実施形態において、ＷＴＲＵ２１０による非ビーコン制御およびデータパケットに付加することができる。タイムスタンプ、ビーコンインターバル、ＳＳＩＤ（service set identifier）、機能、対応データ速度、ＦＨパラメータ、ＣＦパラメータ、およびＤＳパラメータ等のビーコンの情報要素は、一般的に、異なる管理、制御およびデータパケットに分かれて送信される。ビーコンに付加される他の情報要素も、パケットの一部として送信される。
【００２２】
これらの要素の一部は、ＡＰとの関連を試みようとしているＳＴＡによって利用されるシステムパラメータである。例えばＳＳＩＤは、ＢＳＳ（basic service set）の同一性を識別する。ＦＨパラメータ要素は、ＦＨ（frequency hopping）物理レイヤを利用するＳＴＡに対する同期パラメータを提供し、ＣＦパラメータ要素は、ポイントＣＦ（coordination function）の動作モードに対するパラメータを提供する。ＤＳパラメータ要素は、ＤＳＳＳ（direct sequence spread spectrum）物理レイヤを使用して、ＳＴＡに対するチャンネル数の識別情報を提供する。
【００２３】
さらにＷＴＲＵ２１０は、これらの情報要素を、物理レイヤヘッダかＭＡＣ（media access control）レイヤヘッダかＭＡＣペイロードの一部としてのいずれかに付加できる。本発明の好適実施形態において、物理レイヤの付加は、これらの要素に対する低速のデータ速度の使用が可能になり、その要素のアドレスよりもかなり離れたＷＴＲＵ２２０によって受信できるため、好ましい。例えば、ＩＥＥＥ  ８０２．１１ａ  標準で現在定義されている信号フィールド１１８を拡張して、これらの情報要素を含めることができる。さらに、単一情報要素の一部、完全な情報要素、またはいくつかの情報要素は、各々のパケットで送信できる。各々の要素も、それ自身のＣＲＣ（cyclic redundancy check）を用いて送信できる、または全ての要素のうちＣＲＣを含んでいる最後の情報要素を用いて送信できる。
【００２４】
従って各々のパケットは、そのソース（例えばＷＴＲＵ２１０またはＷＴＲＵ２２０）に関する情報を含む。これらの情報も、ＰＬＣＰプリアンブル１１７またはＭＡＣヘッダで送信できる。例えば、ＰＬＣＰプリアンブルまたはＭＡＣヘッダのビットまたはフィールド等のインジケータは、送信するＷＴＲＵがＡＰであるかまたはそうでないかを識別できる。従って、パケットに対する送信媒体を監視する任意のＷＴＲＵは、そのＷＴＲＵがＡＰとの関連を望む場合、そのパケットがＡＰから来たものかどうかわかる。ＷＴＲＵがＡＰとの関連を望む場合、ＷＴＲＵは次にビーコン情報を検査できる。
【００２５】
ＷＴＲＵ２１０は次に、変更されたＰＬＣＰフレームを、その変更されたＰＬＣＰフレームを受信し、それからビーコン情報を取り出す（ステップ４３０）ＷＴＲＵ２２０に送信する（ステップ４２０）。ビーコンおよびプローブとは別に、ＷＴＲＵ２２０は好適に、パケットからＷＴＲＵ２１０についての各々の情報要素を得る。いったん全ての情報を有すると、ＷＴＲＵ２２０は、そのＷＴＲＵ２１０と関連付けることができる（ステップ４４０）。
【００２６】
本発明は要望通り、任意の種類の無線通信システムで実施できる。さらに本発明の機能は、ソフトウェアによって実施でき、ＩＣ（integrated circuit）に組み込むまたは多数の相互接続コンポーネントを備えた回路に組み込むことができる。さらにＷＴＲＵ２１０およびＷＴＲＵ２２０のプロセッサ２１５／２２５のそれぞれは、上記の方法４００のステップを行うように組み込むことができる。プロセッサ２１５／２２５は、受信器２１６／２２６、送信器２１７／２２７、アンテナ２１８／２２８のそれぞれを利用して、無線でのデータの送受信を容易にすることもできる。
【００２７】
本発明は要望通り、任意の種類の無線通信システムで実施できる。一例として本発明は、物理レイヤおよびデータリンクレイヤで、任意の種類の８０２型システムであるＯＦＤＭ−ＭＩＭＯまたは他の種類の無線通信システムにおいて実施できる。本発明は、ＡＳＩＣ（application specific integrated circuit）、多重ＩＣ、ＬＰＧＡ（logical programmable gate array）、多重ＬＰＧＡ、個別コンポーネント、またはＩＣ、ＬＰＧＡおよび個別コンポーネントの組み合わせのＩＣ上で、無線リソース管理または無線リソースコントローラに対するソフトウェアまたはハードウェアとして実施することもできる。
【００２８】
本発明をさまざまな実施形態に関して説明してきたが、以下の請求のような、発明の範囲内の他の変化は、当業者には明らかだろう。さらに本発明の機能および要素は、特定の組み合わせにおけるさまざまな実施形態で説明されるが、各々の機能または要素は、単独（好適実施形態の他の機能および要素を用いずに）、さまざまな組み合わせ、または本発明の他の機能および要素を用いずに使用できる。
【００２９】
（実施形態）
１．複数のＷＴＲＵ（wireless transmit/receive unit）を備えている無線通信システムにおけるビーコン情報を分配する方法。
【００３０】
２．第１のＷＴＲＵが、ＰＨＹ  ＰＤＵ（physical protocol data unit）フレームのＰＬＣＰ（physical layer convergence protocol）ヘッダを変更して、ビーコン情報を含めることをさらに備えている実施形態１の方法。
【００３１】
３．前記第１のＷＴＲＵが、変更されたＰＬＣＰヘッダを第２のＷＴＲＵに送信することをさらに備えている実施形態１または２における方法。
【００３２】
４．前記第１のＷＴＲＵが、変更されたＰＬＣＰヘッダを第２のＷＴＲＵに送信すること、前記第２のＷＴＲＵが、変更されたＰＬＣＰヘッダを受信することをさらに備えている実施形態１、２または３における方法。
【００３３】
５．前記第１のＷＴＲＵが、変更されたＰＬＣＰヘッダを第２のＷＴＲＵに送信すること、前記第２のＷＴＲＵが、受信した変更されたＰＬＣＰヘッダからビーコン情報を取り出すことをさらに備えている実施形態１乃至４のいずれかにおける方法。
【００３４】
６．前記第２のＷＴＲＵが、第１のＷＴＲＵと関連付けることをさらに備えている実施形態１乃至５のいずれかにおける方法。
【００３５】
７．ビーコン情報が非ビーコン制御パケットに含まれている実施形態１乃至６のいずれかにおける方法。
【００３６】
８．ビーコン情報がデータパケットに含まれている実施形態１乃至７のいずれかにおける方法。
【００３７】
９．ビーコン情報が管理パケットに含まれている実施形態１乃至８のいずれかにおける方法。
【００３８】
１０．ＰＬＣＰフレームはＰＬＣＰプリアンブルフィールドを含む実施形態１乃至９のいずれかにおける方法。
【００３９】
１１．ＰＬＣＰフレームは信号フィールドを含む実施形態１乃至１０のいずれかにおける方法。
【００４０】
１２．ＰＬＣＰフレームはデータフィールドを含む実施形態１乃至１１のいずれかにおける方法。
【００４１】
１３．信号フィールドは速度フィールドを備える実施形態１乃至１２のいずれかにおける方法。
【００４２】
１４．信号フィールドは長さフィールドを備える実施形態１乃至１３のいずれかにおける方法。
【００４３】
１５．信号フィールドはパリティフィールドを備える実施形態１乃至１４のいずれかにおける方法。
【００４４】
１６．信号フィールドはテイルフィールドを備える実施形態１乃至１５のいずれかにおける方法。
【００４５】
１７．データフィールドはサービスフィールドを備える実施形態１乃至１６のいずれかにおける方法。
【００４６】
１８．データフィールドはＰＳＤＵフィールドを備える実施形態１乃至１７のいずれかにおける方法。
【００４７】
１９．データフィールドはテイルフィールドを備える実施形態１乃至１８のいずれかにおける方法。
【００４８】
２０．データフィールドはパッドビットフィールドを備える実施形態１乃至１９のいずれかにおける方法。
【００４９】
２１．ビーコン情報は固定されたビーコンの情報要素を含む実施形態１乃至２０のいずれかにおける方法。
【００５０】
２２．ビーコン情報は可変のビーコンの情報要素を含む実施形態１乃至２１のいずれかにおける方法。
【００５１】
２３．可変のビーコンの情報要素は可変情報フレームに含まれている実施形態１乃至２２のいずれかにおける方法。
【００５２】
２４．可変情報フレームは要素ＩＤフィールドを含む実施形態１乃至２３のいずれかにおける方法。
【００５３】
２５．可変情報フレームは長さフィールドを含む実施形態１乃至２４のいずれかにおける方法。
【００５４】
２６．可変情報フレームはＳＳＩＤフィールドを含む実施形態１乃至２５のいずれかにおける方法。
【００５５】
２７．可変情報要素はＳＳＩＤおよび対応速度を含む実施形態１乃至２６のいずれかにおける方法。
【００５６】
２８．固定されたビーコンの情報要素は固定情報フレームに含まれている実施形態１乃至２７のいずれかにおける方法。
【００５７】
２９．固定情報フレームは要素フィールドを含む実施形態１乃至２８のいずれかにおける方法。
【００５８】
３０．固定情報フレームはタイムスタンプフィールドを含む実施形態１乃至２９のいずれかにおける方法。
【００５９】
３１．第１のＷＴＲＵはビーコンの情報要素を物理レイヤヘッダに付加する実施形態１乃至３０のいずれかにおける方法。
【００６０】
３２．信号フィールドを拡張してビーコンの情報要素を含めることをさらに備えている実施形態１乃至３１のいずれかにおける方法。
【００６１】
３３．第１のＷＴＲＵはビーコンの情報要素をＭＡＣ（medium access control）ヘッダに含める実施形態１乃至３２のいずれかにおける方法。
【００６２】
３４．第１のＷＴＲＵはビーコンの情報要素をＭＡＣペイロードに含める実施形態１乃至３３のいずれかにおける方法。
【００６３】
３５．第１のＷＴＲＵはビーコンの情報要素をＰＬＣＰプリアンブルの後ろに含める実施形態１乃至３４のいずれかにおける方法。
【００６４】
３６．信号フィールドおよびサービスフィールドはＰＬＣＰヘッダを備える実施形態１乃至３５のいずれかにおける方法。
【００６５】
３７．第１のＷＴＲＵはビーコンの情報要素をＰＬＣＰヘッダの前に含める実施形態１乃至３６のいずれかにおける方法。
【００６６】
３８．第１のＷＴＲＵはビーコンの情報要素をＰＬＣＰヘッダの後ろに含める実施形態１乃至３７のいずれかにおける方法。
【００６７】
３９．ビーコンの情報要素はＣＲＣ（cyclic redundancy check）を用いて送信される実施形態１乃至３８のいずれかにおける方法。
【００６８】
４０．各々のビーコンの情報要素はそれ自身のＣＲＣを用いて送信される実施形態３９の方法。
【００６９】
４１．最後のビーコンの情報要素は全ての情報要素に対するＣＲＣを含む実施形態１乃至４０のいずれかにおける方法。
【００７０】
４２．ビーコンの情報要素は異なる管理、制御、ならびにデータパケットで分離されるおよび送信される実施形態１乃至４１のいずれかにおける方法。
【００７１】
４３．個々のビーコンの情報要素の一部は単一パケットで送信される実施形態１乃至４２のいずれかにおける方法。
【００７２】
４４．すべてのビーコンの情報要素は単一パケットで送信される実施形態１乃至４３のいずれかにおける方法。
【００７３】
４５．複数のビーコンの情報要素は単一パケットで送信される実施形態１乃至４４のいずれかにおける方法。
【００７４】
４６．第２のＷＴＲＵはビーコンの情報要素をパケットから取り出して第１のＷＴＲＵと関連付ける実施形態１乃至４５のいずれかにおける方法。
【００７５】
４７．各々のパケットはそのパケットのソースに関する情報を含む実施形態１乃至４６のいずれかにおける方法。
【００７６】
４８．第１のＷＴＲＵはＡＰ（access point）であり、および第２のＷＴＲＵはＳＴＡ（station）である実施形態１乃至４７のいずれかにおける方法。
【００７７】
４９．ＡＰは外部ネットワークに接続されている実施形態１乃至４８のいずれかにおける方法。
【００７８】
５０．第１および第２のＷＴＲＵはＳＴＡである実施形態１乃至４７のいずれかにおける方法。
【００７９】
５１．実施形態１乃至５０のいずれかにおける方法を行うように組み込まれたＡＰ（access point）。
【００８０】
５２．受信器をさらに備えている実施形態５１のＡＰ。
【００８１】
５３．送信器をさらに備えている実施形態５１または５２におけるＡＰ。
【００８２】
５４．送信器および受信器と通信を行うプロセッサをさらに備えている実施形態５１、５２または５３におけるＡＰ。
【００８３】
５５．ＰＨＹ  ＰＤＵフレームのＰＬＣＰヘッダを変更してビーコンの情報要素を含むように組み込まれたプロセッサである実施形態５４のＡＰ。
【００８４】
５６．変更されたＰＬＣＰヘッダを少なくとも一つのＷＴＲＵ（wireless transmit/receive unit）に送信するように組み込まれたプロセッサである実施形態５４または５５におけるＡＰ。
【００８５】
５７．ＷＴＲＵと関連するように組み込まれたプロセッサである実施形態５４、５５または５６におけるＡＰ。
【００８６】
５８．可変のビーコンの情報要素を可変情報フレームに含めるように組み込まれたプロセッサである実施形態５４乃至５７のいずれかにおけるＡＰ。
【００８７】
５９．固定されたビーコンの情報要素を固定情報フレームに含めるように組み込まれたプロセッサである実施形態５４乃至５８のいずれかにおけるＡＰ。
【００８８】
６０．複数のビーコンの情報要素を単一パケットで送信するように組み込まれたプロセッサである実施形態５４乃至５９のいずれかにおけるＡＰ。
【００８９】
６１．実施形態１乃至５０のいずれかにおける方法を行うように組み込まれたＷＴＲＵ（wireless transmit/receive unit）。
【００９０】
６２．受信器をさらに備えているＷＴＲＵの実施形態６１におけるＷＴＲＵ。
【００９１】
６３．送信器をさらに備えている実施形態６１または６２におけるＷＴＲＵ。
【００９２】
６４．送信器および受信器と通信を行うプロセッサをさらに備えている実施形態６１、６２または６３におけるＷＴＲＵ。
【００９３】
６５．ＰＨＹ  ＰＤＵフレームのＰＬＣＰヘッダを変更してビーコンの情報要素を含めるように組み込まれたプロセッサである実施形態６４のＷＴＲＵ。
【００９４】
６６．変更されたＰＬＣＰヘッダを少なくとも一つの他のＷＴＲＵに送信するように組み込まれたプロセッサである実施形態６４または６５におけるＷＴＲＵ。
【００９５】
６７．別のＷＴＲＵと関連するように組み込まれたプロセッサである実施形態６４、６５または６６におけるＷＴＲＵ。
【００９６】
６８．可変のビーコンの情報要素を可変情報フレームに含めるように組み込まれたプロセッサである実施形態６４乃至６７のいずれかにおけるＷＴＲＵ。
【００９７】
６９．固定されたビーコンの情報要素を固定情報フレームに含めるように組み込まれたプロセッサである実施形態６４乃至６８のいずれかにおけるＷＴＲＵ。
【００９８】
７０．複数のビーコンの情報要素を単一パケットで送信するように組み込まれたプロセッサである実施形態６４乃至６９のいずれかにおけるＷＴＲＵ。
【図面の簡単な説明】
【００９９】
【図１】８０２．１１ａ  ＯＦＤＭ  ＰＬＣＰフレームの先行技術のフレームフォーマットの図である。
【図２】本発明に従って組み込まれた、複数の無線ＷＴＲＵ（wireless transmit／receive unit）を含んでいる例示的な無線通信システムを示す図である。
【図３】図２の無線通信システムの一組のＷＴＲＵの機能的なブロック図である。
【図４】本発明にかかる、ビーコン情報を分配する方法のフロー図である。
【図５】本発明にかかる、可変要素のデータを含んでいる可変情報フレームを示す図である。
【図６】本発明にかかる、固定要素のデータを含んでいる固定情報フレームを示す図である。
【図１】
2009524350.tif 000004
【図２】
2009524350.tif 000005
【図３】
2009524350.tif 000006
【図４】
2009524350.tif 000007
【図５】
2009524350.tif 000008
【図６】
2009524350.tif 000009
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
複数のＷＴＲＵ（wireless transmit/receive unit）を備えている無線通信システムにおいて、ビーコン情報を分配する方法であって、
第１のＷＴＲＵが、ＰＨＹ  ＰＤＵ（physical protocol data unit）フレームのＰＬＣＰ（physical layer convergence protocol）ヘッダを変更して、前記ＰＨＹ  ＰＤＵフレームがビーコンの情報要素を含むインジケータを含めること、
前記第１のＷＴＲＵが、前記変更されたＰＬＣＰヘッダを第２のＷＴＲＵに送信すること、および
前記第１のＷＴＲＵが、前記第２のＷＴＲＵと関連付けること
を備えたことを特徴とする方法。
【請求項２】
前記ビーコンの情報要素は、非ビーコン制御パケットに含まれていることを特徴とする請求項１に記載の方法。
【請求項３】
前記ビーコンの情報要素は、データパケットに含まれていることを特徴とする請求項１に記載の方法。
【請求項４】
前記ビーコンの情報要素は、管理パケットに含まれていることを特徴とする請求項１に記載の方法。
【請求項５】
前記ビーコンの情報要素は、タイムスタンプ、ビーコンインターバル、ＳＳＩＤ（service set identifier）機能、対応データ速度、ＦＨパラメータ、ＣＦパラメータ、およびＤＳパラメータの任意の１つに関する情報を含むことを特徴とする請求項１に記載の方法。
【請求項６】
ＰＬＣＰフレームは、ＰＬＣＰプリアンブルフィールド、信号フィールド、およびデータフィールドを含むことを特徴とする請求項１に記載の方法。
【請求項７】
前記信号フィールドは、速度フィールド、予約フィールド、長さフィールド、パリティフィールド、およびテイルフィールドをさらに備えたことを特徴とする請求項６に記載の方法。
【請求項８】
前記データフィールドは、サービスフィールド、ＰＳＤＵフィールド、テイルフィールド、およびパッドビットフィールドをさらに備えたことを特徴とする請求項７に記載の方法。
【請求項９】
前記ビーコンの情報要素は、固定されたビーコンの情報要素および可変のビーコンの情報要素を含むことを特徴とする請求項８に記載の方法。
【請求項１０】
可変のビーコンの情報要素は、可変情報フレームに含まれていることを特徴とする請求項９に記載の方法。
【請求項１１】
前記可変情報フレームは、要素ＩＤフィールド、長さフィールド、およびＳＳＩＤフィールドを含むことを特徴とする請求項１０に記載の方法。
【請求項１２】
可変のビーコンの情報要素は、ＳＳＩＤおよび対応速度を含むことを特徴とする請求項１０に記載の方法。
【請求項１３】
固定されたビーコンの情報要素は、固定情報フレームに含まれていることを特徴とする請求項９に記載の方法。
【請求項１４】
前記固定情報フレームは、要素フィールドおよびタイムスタンプフィールドを含むことを特徴とする請求項１３に記載の方法。
【請求項１５】
前記第１のＷＴＲＵは、前記ビーコンの情報要素を物理レイヤヘッダに付加することを特徴とする請求項８に記載の方法。
【請求項１６】
前記信号フィールドを拡張して前記ビーコンの情報要素を含めることをさらに備えたことを特徴とする請求項１５に記載の方法。
【請求項１７】
前記第１のＷＴＲＵは、前記ビーコンの情報要素をＭＡＣ（medium access control）ヘッダに含めることを特徴とする請求項８に記載の方法。
【請求項１８】
前記第１のＷＴＲＵは、前記ビーコンの情報要素をＭＡＣペイロードに含めることを特徴とする請求項８に記載の方法。
【請求項１９】
前記第１のＷＴＲＵは、前記ビーコンの情報要素を前記ＰＬＣＰプリアンブルの後ろに含むことを特徴とする請求項８に記載の方法。
【請求項２０】
前記信号フィールドおよび前記サービスフィールドは、前記ＰＬＣＰヘッダを備えたことを特徴とする請求項８に記載の方法。
【請求項２１】
前記第１のＷＴＲＵは、前記ビーコンの情報要素を前記ＰＬＣＰヘッダの前に含めることを特徴とする請求項２０に記載の方法。
【請求項２２】
前記第１のＷＴＲＵは、前記ビーコンの情報要素を前記ＰＬＣＰヘッダの後ろに含めることを特徴とする請求項２０に記載の方法。
【請求項２３】
各々のビーコンの情報要素は、それ自身のＣＲＣ（cyclic redundancy check）を用いて送信されることを特徴とする請求項８に記載の方法。
【請求項２４】
最後のビーコンの情報要素は、全ての情報要素に対するＣＲＣを含むことを特徴とする請求項８に記載の方法。
【請求項２５】
前記ビーコンの情報要素は、異なる管理、制御およびデータパケットで分離され、および送信されることを特徴とする請求項８に記載の方法。
【請求項２６】
個々のビーコンの情報要素の一部は、単一パケットで送信されることを特徴とする請求項２５に記載の方法。
【請求項２７】
全てのビーコンの情報要素は、単一パケットで送信されることを特徴とする請求項２５に記載の方法。
【請求項２８】
複数のビーコンの情報要素は、単一パケットで送信されることを特徴とする請求項２５に記載の方法。
【請求項２９】
前記第２のＷＴＲＵは、ビーコンの情報要素を前記パケットから取り出して、前記第１のＷＴＲＵと関連付けることを特徴とする請求項２５に記載の方法。
【請求項３０】
各パケットは、前記パケットのソースに関する情報を含むことを特徴とする請求項２９に記載の方法。
【請求項３１】
前記第１のＷＴＲＵはＡＰ（access point）であり、および前記第２のＷＴＲＵはＳＴＡ（station）であることを特徴とする請求項１に記載の方法。
【請求項３２】
前記ＡＰは、外部ネットワークに接続されていることを特徴とする請求項３１に記載の方法。
【請求項３３】
前記第１のおよび第２のＷＴＲＵは、ＳＴＡであることを特徴とする請求項１に記載の方法。
【請求項３４】
ビーコン情報を分配する方法を行うように組み込まれたＡＰ（access point）であって、
受信器と、
送信器と、
前記受信器および前記送信器と通信を行うプロセッサであって、ＰＨＹ  ＰＤＵ（physical protocol data unit）フレームのＰＬＣＰ（physical layer convergence protocol）ヘッダを変更し、前記ＰＨＹ  ＰＤＵフレームがビーコンの情報要素を含むインジケータを含め、前記変更されたＰＬＣＰヘッダを少なくとも１つのＷＴＲＵ（wireless transmit/receive unit）に送信し、および前記ＷＴＲＵと関連付けるように組み込まれているプロセッサと
を備えたことを特徴とするＡＰ。
【請求項３５】
前記プロセッサは、可変のビーコンの情報要素を可変情報フレームに含むようにさらに組み込まれていることを特徴とする請求項３４に記載のＡＰ。
【請求項３６】
前記プロセッサは、固定されたビーコンの情報要素を固定情報フレームに含むようにさらに組み込まれていることを特徴とする請求項３４に記載のＡＰ。
【請求項３７】
前記プロセッサは、複数のビーコンの情報要素を単一パケットで送信するようにさらに組み込まれていることを特徴とする請求項３４に記載のＡＰ。
【請求項３８】
ビーコン情報を分配する方法を行うように組み込まれたＷＴＲＵ（wireless transmit/receive unit）であって、
受信器と、
送信器と、
前記受信器および前記送信器と通信を行うプロセッサであって、ＰＨＹ  ＰＤＵ（physical protocol data unit）フレームのＰＬＣＰ（physical layer convergence protocol）ヘッダを変更し、前記ＰＨＹ  ＰＤＵフレームがビーコンの情報要素を含むインジケータを含め、前記変更されたＰＬＣＰヘッダを少なくとも１つの他のＷＴＲＵに送信し、および前記少なくとも１つの他のＷＴＲＵと関連付けるように組み込まれているプロセッサと
を備えたことを特徴とするＷＴＲＵ。
【請求項３９】
前記プロセッサは、可変のビーコンの情報要素を可変情報フレームに含むようにさらに組み込まれていることを特徴とする請求項３８に記載のＷＴＲＵ。
【請求項４０】
前記プロセッサは、固定されたビーコンの情報要素を固定情報フレームに含むようにさらに組み込まれていることを特徴とする請求項３８に記載のＷＴＲＵ。
【請求項４１】
前記プロセッサは、複数のビーコンの情報要素を単一パケットで送信するようにさらに組み込まれていることを特徴とする請求項３８に記載のＷＴＲＵ。
【請求項４２】
前記プロセッサは、変更されたＰＬＣＰヘッダを少なくとも１つの他のＷＴＲＵから受信し、前記受信する変更されたＰＬＣＰヘッダからビーコン情報を取り出し、および少なくとも１つの他のＷＴＲＵと関連付けるようにさらに組み込まれていることを特徴とする請求項３８に記載のＷＴＲＵ。
【国際調査報告】
2009524350.tif 000010
2009524350.tif 000011